(57)【要約】【課題】アクセルケーブルを開口部の最奥部の所定の位置に容易に係着することができるアクセルケーブル固定用ブラケットを提供する。【解決手段】ブラケット１の基端部１ａにこのブラケット１を吸気マニホールド２に取り付けるための取付孔２が形成されるとともに、先端部１ｂにその幅方向の中央部が切り欠かれて開口部３が形成され、開口部３を挟んで上辺部４に対向する下辺部５における開口方向に向かう平坦面５ａの長さが、上辺部４における平坦面４ａの長さよりも長い寸法に設定される。【選択図】図１
2009057919.tif 000002
【特許請求の範囲】
【請求項１】
アクセルペダルとエンジンのスロットルレバーとの間を連結するアクセルケーブルのスロットル弁側端部を取り付け固定するブラケットにおいて、
該ブラケットの基端部にこのブラケットを吸気マニホールドに取り付けるための取付部が形成されるとともに、先端部にその幅方向の中央部が切り欠かれて開口部が形成され、
前記ブラケットの取付部に取付ボルトを挿通して前記ブラケットを吸気マニホールドあるいはその周辺の適所に取り付けたときに、前記開口部が横方向に開口するように設定され、かつ
該開口部を挟んで上辺部に対向する下辺部における開口方向に向かう平坦面の長さが、上辺部における平坦面の長さよりも長い寸法に設定されることを特徴とするアクセルケーブル固定用ブラケット。
【請求項２】
前記ブラケットの下辺部が、上辺部よりも開口方向に突出していることを特徴とする請求項１に記載のアクセルケーブル固定用ブラケット。
【請求項３】
前記ブラケットの上辺部と下辺部の開口方向への突出長さが略同じであり、前記下辺部の平坦面と先端面と交差位置に形成される曲面部分の曲率半径が前記上辺部における同じ曲面部分の曲率半径よりも小さく設定されていることを特徴とする請求項１に記載のアクセルケーブル固定用ブラケット。
【発明の詳細な説明】
【技術分野】
【０００１】
本発明は、アクセルペダルとエンジンのスロットルレバーとの間を連結するアクセルケーブルを吸気マニホールドのチャンバー周辺部分に取り付けるアクセルケーブル固定用ブラケットに関するものである。
【背景技術】
【０００２】
アクセルケーブルは、アクセルペダルとエンジンのスロットルレバーとの間を連結し、アクセルペダルの踏み込み状態をスロットル弁に伝達し、アクセルペダルの踏み込み状態に応じてスロットル弁を開閉する。アクセルケーブルは、パイプ状のアウターケーブルとこのアウターケーブル内を摺動自在に挿通するインナーワイヤとからなり、アクセルケーブルは、その動作の安定性が損なわれないように、アウターケーブルのスロットル弁側の端部が、吸気マニホールドのチャンバー（サージタンク）に固定されたブラケットにより支持されている。
【０００３】
このようなアクセルケーブルの支持構造として、従来、ブラケットをサージタンクに１本の取付ボルトにより固定したもの（特許文献１を参照）や、ブラケットに回り止めのための係止孔に係合する係止片を設けて、取付ボルトにより固定したもの（特許文献２に記載の従来技術を参照）が知られている。
【特許文献１】実開平０３−１２２２４５号公報
【特許文献２】特開平１０−１３１７７５号公報
【発明の開示】
【発明が解決しようとする課題】
【０００４】
アクセルケーブルの支持構造として、特許文献１には、図５に示すように、吸気マニホールド２０のチャンバー２１の、スロットルボディ２３取付位置の反対側にブラケット３０を取付ボルト３６等により着脱自在に取り付け、このブラケット３０に対してアクセルケーブル１０（アウターケーブル１１）のスロットル弁側の端部を移動不能に係着する構造が開示されている。この特許文献１に示された吸気マニホールド２０は、エンジンの長手方向（気筒配列方向）に延びるチャンバー２１と、このチャンバー２１と各気筒との間を各気筒に対して独立して接続される吸気管路２２によって構成され、チャンバー２１の長手方向の一端にスロットル弁２４を内蔵したスロットルボディ２３が取り付けられ、このスロットル弁２４の弁軸２５に固着したスロットルレバー２６の外周に円弧溝２７を設け、この円弧溝２７にアクセルケーブル１０のインナーワイヤ１２を巻き付けて、その先端１２ａをスロットルレバー２６に対して係着している。
【０００５】
特許文献２に開示されたアクセルケーブル１０の支持構造では、図６に示すように、ブラケット３０（アクセルケーブルガイド）が取り付けられるチャンバー２１（サージタンク）に、ネジ孔（図示せず）が形成されたガイドボス部２８と回り止め孔（図示せず）が形成された回り止めボス部２９とが形成され、ブラケット３０に開口部３２（ケーブル支持溝）、取付穴（図示せず）と回り止め片３５とが形成されており、ブラケット３０は取付ボルト３６を取付穴に挿通してガイドボス部２８のネジ孔に螺着することによってチャンバー２１に取り付けられ、回り止め片３５を回り止めボス部２９の回り止め孔に嵌合することにより回り止めされる。
【０００６】
特許文献１には、ブラケット３０の形状について詳しく記載されていないが、従来、図７に示すような形状のものが使用されてきた。すなわち、ブラケット３０は、その基端部３０ａにこのブラケットを吸気マニホールドに取り付けるための取付孔３１が形成されるとともに、先端部３０ｂにその幅方向の中央部が切り欠かれて開口部３２が形成されている。また、開口部３２を挟んで対向する上辺部３３と下辺部３４とは開口部３２の円弧中心からそれぞれ同じ寸法Ｄで開口方向に向けて突出している。
【０００７】
ブラケット３０は、取付ボルト３６を取付孔３１に挿通して、吸気マニホールド２０に形成されたネジ穴（例えば、ガイドボス部２８のネジ孔）に螺着することによって吸気マニホールド２１あるいはその周辺の適所（例えば、チャンバー２１）に取り付けられる。そして、開口部３２にアクセルケーブル１０のアウターケーブル１１のスロットル弁２４側端部を装着し、左右両側から一対のナット３７で締め付けることにより、アクセルケーブル１０（アウターケーブル１１）がブラケット３０の開口部３２に係着されることになる。なお、特許文献２（図６）に開示されているブラケット３０（アクセルケーブルガイド）も、アクセルケーブル１０を係着する部分においては、概ね同様の形状を有している。
【０００８】
また、ブラケット３０の長手方向の長さや、基端部３０ａと先端部３０ｂとのなす角度は、ブラケット３０の取付位置とアクセルケーブル１０の配置位置との相対的な位置関係に基づいて適宜設定され、開口部の開口方向も、ブラケット３０の取付位置や作業性等を考慮して適宜設定される。
【０００９】
しかしながら、最近では、車両走行性能・燃費性能の向上、排ガス中のＮＯｘ削減等の観点から、数多くの電装品がエンジン搭載空間の周辺部に組み込まれ、吸気マニホールド周辺も非常に手狭な状態になってきている。このような限られた空間の中で、アクセルケーブル１０をブラケット３０の開口部３２内に容易に挿通させ、アクセルケーブル１０を開口部３２内に保持して開口部３２内から脱落しない状態で係着することを考えて、開口部３２が上向き方向に開口するように設定されることがある。しかし、このように開口部３２が上向きに設定されていると、レンチ等の作業工具を用いて横方向からアクセルケーブル１０を係着しようとする際に、装着されたナット３７を回転中心として上方向に回転させようとする作業工具による回転駆動力（の上向き方向の力成分）がアクセルケーブル１０を押し上げる方向に作用し、アクセルケーブル１０が開口部３２内で浮き上がりやすく、アクセルケーブル１０を開口部３２の最奥部の所定の位置に係着することが困難であった。
【００１０】
また、開口部３２が横方向に開口するように設定されている場合には、アクセルケーブル１０は開口部３２内で浮き上がりにくくなるが、下辺部３４に沿って滑りやすいため、アクセルケーブル１０をブラケット３０に仮組み（開口部３２内に挿通）したときに開口部３３から脱落して、やはりアクセルケーブル１０を開口部３２の最奥部の所定の位置に係着することが困難であった。
【００１１】
本発明は、以上のような課題に鑑みて為されたものであり、アクセルケーブルを開口部の最奥部の所定の位置に容易に係着することができるアクセルケーブル固定用ブラケットを提供することを目的としている。
【課題を解決するための手段】
【００１２】
請求項１に係る発明のアクセルケーブル固定用ブラケットは、アクセルペダルとエンジンのスロットルレバーとの間を連結するアクセルケーブルのスロットル弁側端部を取り付け固定するブラケットにおいて、該ブラケットの基端部にこのブラケットを吸気マニホールドに取り付けるための取付部が形成されるとともに、先端部にその幅方向の中央部が切り欠かれて開口部が形成され、前記ブラケットの取付部に取付ボルトを挿通して前記ブラケットを吸気マニホールドあるいはその周辺の適所に取り付けたときに、前記開口部が横方向に開口するように設定され、かつ、該開口部を挟んで上辺部に対向する下辺部における開口方向に向かう平坦面の長さが、上辺部における平坦面の長さよりも長い寸法に設定されることを特徴とするものである。
【００１３】
請求項１に係る発明のアクセルケーブル固定用ブラケットによれば、開口部が、横方向に開口するように設定されているため、アクセルケーブルが開口部内で浮き上がるのを抑制することができる、しかも、下辺部における開口方向に向かう平坦面の長さが、上辺部における平坦面の長さよりも長い寸法に設定されているため、アクセルケーブルをブラケットに仮組みしたときに、アクセルケーブルが開口部から脱落しにくくなり、アクセルケーブルを開口部の最奥部の所定の位置に係着することができる。
【００１４】
請求項２に係る発明のアクセルケーブル固定用ブラケットは、請求項１に記載のアクセルケーブル固定用ブラケットにおいて、前記ブラケットの下辺部が、上辺部よりも開口方向に突出していることを特徴とするものである。
【００１５】
請求項２に係る発明のアクセルケーブル固定用ブラケットによれば、ブラケットの下辺部を上辺部よりも開口方向に突出させることにより、下辺部における平坦面の長さが上辺部よりも長い寸法に設定される状態を容易に実現して、アクセルケーブルをブラケットに仮組みしたときに、アクセルケーブルが開口部から脱落しにくくして、アクセルケーブルを開口部の最奥部の所定の位置に係着することができる。また、ブラケットの下辺部を上辺部よりも開口方向に突出させることにより、アクセルケーブルをブラケットの開口部に挿通させようとする際に、下辺部がアクセルケーブルをガイドしてその装着作業を容易に実施できるようにする。
【００１６】
請求項３に係る発明のアクセルケーブル固定用ブラケットは、請求項１に記載のアクセルケーブル固定用ブラケットにおいて、  前記ブラケットの上辺部と下辺部の開口方向への突出長さが略同じであり、前記下辺部の平坦面と先端面と交差位置に形成される曲面部分の曲率半径が前記上辺部における同じ曲面部分の曲率半径よりも小さく設定されていることを特徴とするものである。
【００１７】
請求項３に係る発明のアクセルケーブル固定用ブラケットによれば、ブラケットの上辺部と下辺部の開口方向への突出長さが略同じであっても、下辺部の平坦面と先端面と交差位置に形成される曲面部分の曲率半径を小さく設定することにより、下辺部における平坦面の長さが上辺部よりも長い寸法に設定される状態を容易に実現して、アクセルケーブルをブラケットに仮組みしたときに、アクセルケーブルが開口部から脱落しにくくして、アクセルケーブルを開口部の最奥部の所定の位置に係着することができる。
【発明の効果】
【００１８】
本発明によれば、アクセルケーブルをブラケットに仮組みしたときに、アクセルケーブルが開口部から脱落しにくくなり、アクセルケーブルを開口部の最奥部の所定の位置に容易に係着することができる。また、これにより、アクセルケーブル固定作業時における組付工数を低減することができる。
【発明を実施するための最良の形態】
【００１９】
以下、本発明のアクセルケーブル固定用ブラケットに係る最良の実施の形態について、図面に基づき詳細に説明する。なお、下記に開示される実施の形態はすべての点で例示であって、制限的なものではないと考えられるべきである。本発明の技術的範囲は、実施の形態で開示された内容ではなく、特許請求の範囲の記載によって示され、さらに、特許請求の範囲と均等の意味および範囲内でのすべての変更が含まれると解されるべきである。
【００２０】
（実施の形態１）
まず、本発明の実施の形態１に係るアクセルケーブル固定用ブラケットの形状とこのブラケットを用いたアクセルケーブルの支持構造について、図１、図２に基づき説明する。図１は、本発明の実施の形態１に係るアクセルケーブル固定用ブラケットの形状を説明するための、（ａ）は側面図であり、（ｂ）は平面図であり、図２は、この支持ブラケットを用いたアクセルケーブルの支持構造を説明するための斜視図である。また、図３は、アクセルケーブル固定用ブラケットにアクセルケーブルを係着するときの状況を説明するための図である。
【００２１】
まず、アクセルケーブル１０は、従来技術のところで説明したように、アクセルペダル（図示せず）とエンジンのスロットルレバー２６との間を連結し、アクセルペダルの踏み込み状態をスロットル弁２４に伝達し、アクセルペダルの踏み込み状態に応じてスロットル弁２４を開閉するものであり、パイプ状のアウターケーブル１１とこのアウターケーブル１１内を摺動自在に挿通するインナーワイヤ１２とからなる。このアクセルケーブル１０は、そのスロットル弁２４側の端部が、スロットルボディ２３に固定されたブラケット１（アクセルケーブル固定用ブラケット）に、図２、図３に示すように、アウターケーブル１１のスロットル弁２４側端部に螺着する２つのナット３７をレンチ等の作業工具３８によりブラケット１の左右両側から挟み込むように締め付けることにより、取り付けられる。なお、図２において、アウターケーブル１１はブラケット１の手前側に位置し、インナーワイヤ１２（図示せず）はブラケット１の手前側に位置してその先端がスロットルレバー２６に係着されている。また、図３において、ブラケット１の奥側に配されたナット（図示せず）は、後述の屈曲片７の上端面で回転が規制（回り止め）されており、手前側に配されたナット３７をレンチ等の作業工具３８で図中時計回り方向（矢印方向）に締め付ける（図３（ａ）の状態から図３（ｂ）の状態に）ことにより、アウターケーブル１１のスロットル弁２４側端部をブラケット１の開口部３の最奥部の所定の位置に係着する。ブラケット１の開口部３が横方向に開口しており、作業工具３８による回転駆動力が図中上方向ないしは右方向に作用するため、アクセルケーブル１０が開口部３内で浮き上がるのを抑制して、開口部３の最奥部の所定の位置に係着することができる。
【００２２】
本発明に係るブラケット１は、図１に示すように、基端部１ａにこのブラケット１を吸気マニホールド２０あるいはその周辺の適所に取り付けるための取付孔２（取付部）が形成されるとともに、先端部１ｂにその幅方向の中央部が切り欠かれて開口部３が形成されている。ブラケット１は、従来のブラケット３０とは異なり、開口部３を挟んで上辺部４に対向する下辺部５における開口方向に向かう平坦面５ａの長さが、上辺部４における平坦面４ａの長さよりも長い寸法に設定されている。すなわち、開口部３を挟んで互いに対向する上辺部４と下辺部５において、平坦面４ａ、５ａと先端面４ｂ、５ｂとの間に形成される曲面部分の曲率半径を同一値に設定し、先端面４ｂ、５ｂと開口部３の円弧中心Ｏとの間の寸法Ｄ１、Ｄ２をＤ２＞Ｄ１となるように設定することにより、ブラケット１の下辺部５（先端面５ｂ）が上辺部４（先端面４ｂ）よりも開口方向に突出し、下辺部５の平坦面５ａの長さが上辺部４の平坦面４ａの長さよりも長くなるように設定されている。なお、ここでの平坦面４ａ、５ａとは、ブラケットの上辺部４および下辺部５の互いに対向するそれぞれの面において、先端面４ｂ、５ｂとの間に形成される曲面部分および開口部の最奥部で円弧状に形成される部分を除いた、平坦に形成された面をいう。
【００２３】
また、ブラケット１の基端部１ａと先端部１ｂとの間に位置する中間部１ｃは、基端部１ａ、先端部１ｂとの境界部分でそれぞれ略４５°折り曲げられ、先端部１ｂは基端部１ａに対して略直角方向に延びるように構成されている。また、中間部１ｃは、ブラケット１の軽量化のために、その幅方向の中央部分が切り欠かれ、長手方向に長い中空部６が形成されている。なお、基端部１ａと先端部１ｂとのなす角度（すなわち、中間部１ｃにおける基端部１ａ、先端部１ｂそれぞれとの境界部分での折り曲げ角度）および中間部１ｃの長さは、吸気マニホールド２０におけるブラケット１の取付位置とアクセルケーブル１０の配置位置との相対的な位置関係に基づいて適宜設定される。
【００２４】
さらに、ブラケット１には、下辺部５から下方に向けて突出して、途中で上方に向けて屈曲された屈曲片７が設けられており、ブラケット１の開口部３に挿通され、開口部３の左右両側からそれぞれナット３７が装着された状態で、この屈曲片７の上端面が左右いずれか一方に配されたナット３７の平坦面に下方から当接するように構成されている。
【００２５】
そして、このようなアクセルケーブル１０の支持構造として、先に図５において、吸気マニホールド２０のチャンバー２１の、スロットルボディ２２取付位置の反対側にブラケット３０をボルト３６等により着脱自在に取り付け、このブラケット３０に対してアクセルケーブル１０（アウターケーブル１１）のスロットル弁２４側の端部を移動不能に係着する構造を挙げたが、本発明のブラケット１も、同様にして吸気マニホールド２０あるいはその周辺の適所に取り付けられる。例えば、図２に示すように、取付孔２に取付ボルト３６を挿通して、スロットルボディ２３に設けられた取付台座２３ａのネジ孔（図示せず）に螺着することにより、吸気マニホールド２０あるいはその周辺の適所に取り付けられる。図２では、ブラケット１がスロットルボディ２３に取り付けられ状態で、ブラケット１の開口部３が横方向に開口するように設定されている。なお、基端部１ａに形成される取付部として、取付孔２を例示したが、他の形態のものであっても良く、取付具も、取付ボルト３６に限定されることなく、取付部の形態に合ったものであって良い。
【００２６】
本実施形態のブラケット１によれば、下辺部５における開口方向に向かう平坦面５ａの長さが、上辺部４における平坦面４ａの長さよりも長い寸法に設定されているため、アクセルケーブル１０をブラケット１に仮組みしたときに、アクセルケーブル１０が開口部３から脱落しにくくなり、アクセルケーブル１０を開口部３の最奥部の所定の位置（アクセルケーブル１０のインナーワイヤ１２の軸心が開口部３の円弧半径の中心位置に略一致）に係着することができる。開口部３が、横方向に開口している場合、アクセルケーブル１０が開口部３内で浮き上がるのを抑制して、しかも、下辺部５における平坦面５ａの長さが長い寸法に設定されているため、アクセルケーブル１０が開口部３から脱落しにくくなり、アクセルケーブル１０をより適正に開口部３の最奥部の所定の位置に係着することができる。開口部３の開口方向を横方向に設定しているが、アクセルケーブル１０が開口部３内で浮き上がるのを抑制するような効果を奏するためには、開口部３の開口方向が水平方向±３０°の範囲に設定されるのが望ましく、横方向とはそのような角度範囲を含むものである。
【００２７】
ブラケット１の下辺部５を上辺部４よりも開口方向に突出させることにより、下辺部５における平坦面５ａの長さが上辺部４の平坦面４ａよりも長い寸法に設定される状態を容易に実現して、アクセルケーブル１０をブラケット１に仮組みしたときに、アクセルケーブル１０が開口部３から脱落しにくくして、アクセルケーブル１０を開口部３の最奥部の所定の位置に係着することができる。また、ブラケット１の下辺部５を上辺部４よりも開口方向に突出させることにより、アクセルケーブル１０をブラケット１の開口部３に挿通させようとする際に、下辺部５がアクセルケーブル１０をガイドして開口部３内に誘導するため、その装着作業を容易に実施できるようにする。
【００２８】
本実施の形態１において、ブラケット１の下辺部５が、上辺部４よりも０．２ｍｍ以上開口方向に突出するように設定されることが望ましい。ブラケット１の下辺部５および上辺部４を、このような突出寸法の差をもって開口方向に突出させることにより、アクセルケーブル１０をブラケット１に仮組みしたときに開口部３から脱落しにくくして、アクセルケーブル１０を開口部３の最奥部の所定の位置に係着することができる。下辺部５の上辺部４に対する突出寸法の差が０．２ｍｍ未満であると、開口部３から脱落しにくくする効果が十分に得られない。また、下辺部５の突出寸法を、アクセルケーブル１０が開口部３から脱落しにくくなる効果が得られる寸法差を超えて長くしても、ブラケット１の重量が増すため望ましくない。そのような観点から、上記の突出寸法の差は３ｍｍ以下に設定されることが望ましい。
【００２９】
さらに、本実施の形態１においては、ブラケットの下辺部５から下方に向けて突出するとともに、途中で上方に向けて屈曲された屈曲片７が、開口部３の左右両側から装着された一方のナット３７の平坦面に下方から当接して、このナット３７の回転と移動を規制するため、アクセルケーブル１０をブラケット１に仮組みしたときに、アクセルケーブル１０が開口部３から脱落しにくくなり、アクセルケーブル１０を開口部の最奥部の所定の位置に係着することができる。
【００３０】
（実施の形態２）
つぎに、本発明の実施の形態２に係るアクセルケーブル固定用ブラケット１’の形状について、図４に基づき説明する。図４は、本発明の実施の形態２に係るアクセルケーブル固定用ブラケットの形状を説明するための、（ａ）は側面図であり、（ｂ）は平面図である。なお、このブラケット１’を用いたアクセルケーブルの支持構造について、実施の形態１において説明したと同様であるので、ここではその説明を省略する。
【００３１】
本実施の形態２に係るブラケット１’は、上辺部４の開口方向への突出長さＤ１と下辺部５の開口方向への突出長さＤ２とが略同じに設定され、下辺部５の平坦面５ａと先端面５ｂと交差位置に形成される曲面部分の曲率半径が上辺部４における同じ曲面部分の曲率半径よりも小さく設定されている。その他の点は、実施の形態１に係るブラケット１と同様である。
【００３２】
このようなブラケット１’によれば、ブラケット１’の上辺部４と下辺部５の開口方向への突出長さＤ１、Ｄ２が略同じであっても、下辺部５の平坦面５ａと先端面５ｂと交差位置に形成される曲面部分の曲率半径を小さく設定することにより、下辺部５における平坦面５ａの長さが上辺部４の平坦面４ａよりも長い寸法に設定される状態を容易に実現して、アクセルケーブル１０をブラケット１’に仮組みしたときに、アクセルケーブル１０が開口部３から脱落しにくくして、アクセルケーブル１０を開口部３の最奥部の所定の位置に係着することができる。
【００３３】
また、上記の実施形態１、２で示したように、ブラケット１の平坦面５ａの長さが上辺部４の平坦面４ａよりも長い寸法に設定されるのに加えて、下辺部５の平坦面５ａに凹凸加工を施すことにより、下辺部５の生地表面より摩擦係数の高い表面加工層が平坦面５ａに形成されても良い。また、摩擦係数の高い表面被覆層あるいは樹脂塗着層が平坦面５ａに形成されても良い。このように下辺部５の平坦面５ａの摩擦係数を高めることにより、ナット３７がより滑りにくくなり、アクセルケーブル１０をブラケット１に仮組みしたときに、アクセルケーブル１０が開口部３から脱落しにくくなり、アクセルケーブル１０を開口部の最奥部の所定の位置に係着することができ、アクセルケーブル１０係着の作業性をより向上させることができる。
【００３４】
また、上記の実施形態１では、ブラケット１がスロットルボディ２３に取り付けられる例を示したが、勿論、従来例のようにチャンバー２１に取り付けられても良く、取り付けのためのスペース等も考えた上で、吸気マニホールド２０あるいはその周辺の適所に取り付けられれば良い。
【産業上の利用可能性】
【００３５】
上記の実施の形態に示された本発明によれば、アクセルケーブルをブラケットに仮組みしたときに、アクセルケーブルが開口部から脱落しにくくなり、アクセルケーブルを開口部の最奥部の所定の位置に容易に係着することができる。また、これにより、アクセルケーブル固定作業時における組付工数を低減することができる。したがって、このようなブラケットを、アクセルケーブルを吸気マニホールドのチャンバー周辺部分に取り付ける用途、ならびに他のケーブル類を適所に取り付ける類似する用途に、好適に使用することができる。
【図面の簡単な説明】
【００３６】
【図１】本発明の実施の形態１に係るアクセルケーブル固定用ブラケットの形状を説明するための、（ａ）は側面図であり、（ｂ）は平面図である。
【図２】本発明の実施の形態１に係るアクセルケーブル固定用ブラケットを用いたアクセルケーブルの支持構造を説明するための斜視図である。
【図３】本発明の実施の形態１に係るアクセルケーブル固定用ブラケットにアクセルケーブルを係着するときの状況を説明するための図である。
【図４】本発明の実施の形態２に係るアクセルケーブル固定用ブラケットの形状を説明するための、（ａ）は側面図であり、（ｂ）は平面図である。
【図５】従来のアクセルケーブル固定用ブラケットを用いたアクセルケーブルの支持構造を説明するための平面図である。
【図６】従来のアクセルケーブル固定用ブラケットを用いた別のアクセルケーブルの支持構造を説明するための斜視図である。
【図７】従来のアクセルケーブル固定用ブラケットの形状を説明するための、（ａ）は側面図であり、（ｂ）は平面図である。
【符号の説明】
【００３７】
１    ブラケット
１ａ  基端部
１ｂ  先端部
２    取付孔
３    開口部
４    上辺部
４ａ  平坦面（上辺部側）
５    下辺部
５ａ  平坦面（下辺部側）
７    湾曲片
１０  アクセルケーブル
１１  アウターケーブル
１２  インナーワイヤ
２０  吸気マニホールド
２１  チャンバー
２２  吸気管路
２３  スロットルボディ
２４  スロットル弁
２５  弁軸
２６  スロットルレバー
３６  取付ボルト
３７  ナット
【図１】
2009057919.tif 000003
【図２】
2009057919.tif 000004
【図３】
2009057919.tif 000005
【図４】
2009057919.tif 000006
【図５】
2009057919.tif 000007
【図６】
2009057919.tif 000008
【図７】
2009057919.tif 000009